(57)【要約】【課題】使用環境や撮影シーンに基づいて色を自動的に調整し、視認性の高い画像を表示できる画像表示装置，画像表示方法及び撮像装置を提供する。【解決手段】カラー画像を表示装置に表示する場合に、表示装置に表示する表示用画像を取得し、表示用画像に含まれる色情報を、撮影シーン及び撮影モードのうち少なくとも一方に基づいて調整するための色補正情報を作成し、色補正情報に基づいて色情報を調整した表示用画像を表示装置に表示させる。【選択図】図２
2009276610.tif 000002
【特許請求の範囲】
【請求項１】
カラー画像を表示装置に表示する画像表示装置であって、
前記表示装置に表示する表示用画像を取得する表示用画像情報取得手段と、
前記表示用画像に含まれる色情報を、撮影シーン及び撮影モードのうち少なくとも一方に基づいて調整するための色補正情報を作成する色補正情報作成手段と、
前記色補正情報に基づいて前記色情報を調整した前記表示用画像を前記表示装置に表示させる表示駆動手段とを備えた画像表示装置。
【請求項２】
撮影シーンごとに対応する参照用色情報が予め記憶された参照用色情報記憶手段を備えた請求項１に記載の画像表示装置。
【請求項３】
前記表示用画像の前記色情報と前記参照用色情報とを参照することで、前記表示用画像に対応する撮影シーンを判別する撮影シーン判別手段を備え、判別された撮影シーンに基づいて前記色補正情報を作成する請求項２に記載の画像表示装置。
【請求項４】
前記色補正情報作成手段が撮影モードに対応して予め設定された値に基づいて、前記色補正情報を作成する請求項１から３のいずれか１つに記載の画像表示装置。
【請求項５】
前記カラー画像に含まれる所定の被写体が表示されている被写体領域を判別し、前記被写体領域のみの前記色情報を別に調整する請求項１から４のいずれか１つに記載の画像表示装置。
【請求項６】
前記色情報が、Ｒ（赤），Ｇ（緑），Ｂ（青）ごとの階調値を示すヒストグラムを含む請求項１から５のいずれか１つに記載の画像表示装置。
【請求項７】
カラー画像を表示装置に表示する画像表示方法であって、
前記表示装置に表示する表示用画像を取得するステップと、
前記表示用画像に含まれる色情報を、撮影シーン及び撮影モードのうち少なくとも一方に基づいて調整するための色補正情報を作成するステップと、
前記色補正情報に基づいて前記色情報を調整した前記表示用画像を前記表示装置に表示させるステップとを含む画像表示方法。
【請求項８】
撮影シーンごとに対応する参照用色情報が参照用色情報記憶手段に予め記憶され、前記表示用画像の前記色情報と前記参照用色情報とを参照し、前記表示用画像に対応する撮影シーンを判別し、判別された撮影シーンに基づいて前記色補正情報を作成する請求項７に記載の画像表示方法。
【請求項９】
撮影モードに対応して予め設定された値に基づいて、前記色補正情報を作成する請求項７又は８に記載の画像表示方法。
【請求項１０】
前記カラー画像に含まれる所定の被写体が表示されている被写体領域を判別し、前記被写体領域のみの前記色情報を別に調整する請求項７から９のいずれか１つに記載の画像表示方法。
【請求項１１】
前記色情報が、Ｒ（赤），Ｇ（緑），Ｂ（青）ごとの階調値を示すヒストグラムを含む請求項７から１０のいずれか１つに記載の画像表示方法。
【請求項１２】
上記請求項１から６のいずれか１つに記載の画像表示装置を備えた撮像装置。
【発明の詳細な説明】
【技術分野】
【０００１】
本発明は、表示する画像の視認性を高めるため、撮影シーンに応じて表示用の画像情報の色を調整する画像表示装置，画像表示方法及び撮像装置に関する。
【背景技術】
【０００２】
デジタルカメラ等の撮像装置は、撮像した画像をＬＣＤ（Liquid Crystal Display）などの撮像部に表示する表示装置を備えている。使用者は、撮像時に表示装置でスルー画を視認したり、撮像された画像を表示装置に表示させて確認することができる。
【０００３】
従来、下記特許文献に示すように、表示装置に画像を表示する場合に、使用者が画像を視認しやすいように表示装置の輝度や色を調整するものが提案されている。
【０００４】
特許文献１は、装置外部の照度に合わせてコントラストと輝度を制御する構成の表示装置に関する。
特許文献２は、使用者の体質，体調に合わせて輝度をＲＧＢ毎に調整する液晶表示装置に関する。
特許文献３は、被写体が暗い場合に、赤外線領域に受光感度を有する撮像素子を用いて画像を取り込み、表示する電子カメラに関する。
特許文献４は、二値化処理を用いて暗闇でも被写体を識別可能な表示方法に関する。
特許文献５は、二値化処理で、周囲環境が明るい場合でも表示装置の視認性を確保する電子カメラに関する。
特許文献６は、自然な画像が表示されるように、自然光ゲインと画像表示用ゲインを決定して、自然光か否かでゲインを選択して表示する電子スチルカメラに関する。
特許文献７は、撮影光源の色温度情報を推定し、画像に記録した情報に基づいて色温度を変更して画像を表示する画像表示装置に関する。
【０００５】
【特許文献１】特開２００６−２６７２２５号公報
【特許文献２】特開２００５−３２６７９０号公報
【特許文献３】特開２００２−４４４９５号公報
【特許文献４】特開２００５−３１８１００号公報
【特許文献５】特開２００６−２７０７５２号公報
【特許文献６】特開２００１−２８５８８４号公報
【特許文献７】特開２００１−９５００９号公報
【発明の開示】
【発明が解決しようとする課題】
【０００６】
ところで、従来の表示装置やデジタルカメラなどは、使用環境や撮影シーンに基づいて色を調整し、表示することができなかった。
例えば、夕焼けシーンを撮影した場合に、高い照度のため表示された画像の色味が全体的に白く飛んでしまって視認性が著しく低くなることがあった。また、例えば、水中シーンや森林シーンを撮影した場合には、十分な照度を得ることができないため、表示された画像が全体的に暗くなり、視認性が低くなることがあった。
このように、表示される画像を、使用環境や撮影シーンに基づいて色を自動的に調整し、表示装置に視認性の高い画像を表示したいという要望があった。
【０００７】
本発明は、上記事情に鑑みてなされたもので、その目的は、使用環境や撮影シーンに基づいて色を自動的に調整し、視認性の高い画像を表示できる画像表示装置，画像表示方法及び撮像装置を提供することにある。
【課題を解決するための手段】
【０００８】
本発明の上記目的は、下記構成によって達成される。
（１）カラー画像を表示装置に表示する画像表示装置であって、
前記表示装置に表示する表示用画像を取得する表示用画像情報取得手段と、
前記表示用画像に含まれる色情報を、撮影シーン及び撮影モードのうち少なくとも一方に基づいて調整するための色補正情報を作成する色補正情報作成手段と、
前記色補正情報に基づいて前記色情報を調整した前記表示用画像を前記表示装置に表示させる表示駆動手段とを備えた画像表示装置。
（２）撮影シーンごとに対応する参照用色情報が予め記憶された参照用色情報記憶手段を備えた上記（１）に記載の画像表示装置。
（３）前記表示用画像の前記色情報と前記参照用色情報とを参照することで、前記表示用画像に対応する撮影シーンを判別する撮影シーン判別手段を備え、判別された撮影シーンに基づいて前記色補正情報を作成する上記（２）に記載の画像表示装置。
（４）前記色補正情報作成手段が撮影モードに対応して予め設定された値に基づいて、前記色補正情報を作成する上記（１）から（３）のいずれか１つに記載の画像表示装置。
（５）前記カラー画像に含まれる所定の被写体が表示されている被写体領域を判別し、前記被写体領域のみの前記色情報を別に調整する上記（１）から（４）のいずれか１つに記載の画像表示装置。
（６）前記色情報が、Ｒ（赤），Ｇ（緑），Ｂ（青）ごとの階調値を示すヒストグラムを含む上記（１）から（５）のいずれか１つに記載の画像表示装置。
（７）カラー画像を表示装置に表示する画像表示方法であって、
前記表示装置に表示する表示用画像を取得するステップと、
前記表示用画像に含まれる色情報を、撮影シーン及び撮影モードのうち少なくとも一方に基づいて調整するための色補正情報を作成するステップと、
前記色補正情報に基づいて前記色情報を調整した前記表示用画像を前記表示装置に表示させるステップとを含む画像表示方法。
（８）撮影シーンごとに対応する参照用色情報が参照用色情報記憶手段に予め記憶され、前記表示用画像の前記色情報と前記参照用色情報とを参照し、前記表示用画像に対応する撮影シーンを判別し、判別された撮影シーンに基づいて前記色補正情報を作成する上記（７）に記載の画像表示方法。
（９）撮影モードに対応して予め設定された値に基づいて、前記色補正情報を作成する上記（７）又は（８）に記載の画像表示方法。
（１０）前記カラー画像に含まれる所定の被写体が表示されている被写体領域を判別し、前記被写体領域のみの前記色情報を別に調整する上記（７）から（９）のいずれか１つに記載の画像表示方法。
（１１）前記色情報が、Ｒ（赤），Ｇ（緑），Ｂ（青）ごとの階調値を示すヒストグラムを含む上記（７）から（１０）のいずれか１つに記載の画像表示方法。
（１２）上記（１）から（６）のいずれか１つに記載の画像表示装置を備えた撮像装置。
【０００９】
本発明によれば、表示装置に表示する表示用画像を取得し、該表示用画像の色情報を撮影シーン及び撮影モードのうち少なくとも一方に基づいて調整するための色補正情報を作成する。色補正情報は、表示用画像の色情報を調整するための補正値を含み、撮影シーン及び撮影モードごとに予め設定された値と表示用画像の色情報とを比較することで算出することができる。表示用画像の色情報を色補正情報に基づいて調整することで、撮影シーン及び撮影モードに適した、視認性の高い画像を表示することができる。例えば、夕焼けのシーンを撮像する際に、表示する画像が参照用色情報と比較し、表示用画像の色味が全体的に白く飛んでしまっていると判断するときには、色情報に含まれるＲを強調し、一方でＧ及びＢを弱くすることで調整することで、夕焼けシーンに適した赤味を明瞭にすることができ、視認性の高い画像を表示することができる。
【００１０】
撮影シーンとしては、例えば、夕焼けシーン、水中シーン、森林シーンがある。各撮影シーンごとに適した色情報を含む参照用色情報を予め参照用色情報記憶手段に記憶させておくことが好ましい。
撮影モードとしては、例えば、上記撮影シーンに対応するモードや通常の撮影モードや、他に、室内撮影モードや野外撮影モードがある。
【００１１】
色情報とは、例えば、Ｒ（赤），Ｇ（緑），Ｂ（青）ごとの階調値を示すヒストグラムを含む信号である。
【発明の効果】
【００１２】
本発明によれば、使用環境や撮影シーンに基づいて色を自動的に調整し、視認性の高い画像を表示できる画像表示装置，画像表示方法及び撮像装置を提供できる。
【発明を実施するための最良の形態】
【００１３】
以下、本発明の実施形態を図面に基づいて詳しく説明する。
図１は、本発明にかかる撮像装置の一例を示す構成図である。以下の実施形態では、デジタルカメラの構成を例に説明するが、本発明にかかる画像表示装置及び撮像装置は特にこれに限定されない。
【００１４】
デジタルカメラ１００は、入射光を受光する光学部を備えている。光学部には、レンズが備えられたレンズ鏡筒１とアイリス機構２とが設けられている。
また、デジタルカメラ１００には、光学部に入射した光に応じて画像データを生成する固体撮像素子（ＣＣＤ）３と、固体撮像素子３で生成されたアナログ信号を処理する信号処理回路５と、デジタル信号（例えばＪＰＥＧ形式）に変換された画像信号を処理してＣＰＵ（中央処理装置）７に出力する画像信号処理回路６と、を備えている。本実施形態では撮像素子としてＣＣＤを用いた構成を示しているが、特に限定されず、ＣＭＯＳイメージセンサーを用いてもよい。さらに、ＣＣＤ３にタイミング信号を供給するタイミングジェネレータ４がＣＰＵ７に接続されている。アイリス機構２を駆動するアイリスモータ８と、光学部のフォーカスを駆動制御するフォーカスモータ９と、光学部のズーム動作を駆動制御するズームモータ１０とがそれぞれ、ドライバ１３，１４，１５を介してＣＰＵ７に接続されている。
【００１５】
デジタルカメラ１００は、更に、シャッタ機構１１と、該シャッタ機構１１を制御するためのシャッタ制御回路１６とを備え、該シャッタ制御回路１６がＣＰＵ７に接続されている。デジタルカメラ１００は、更に、フラッシュ発光部１２と、該フラッシュ発光部１２を制御するためのフラッシュ制御回路１７とを備え、該フラッシュ制御回路１７がＣＰＵ７に接続されている。
【００１６】
さらに、デジタルカメラ１００は、ＣＰＵ７にドライバ１８を介して接続されたＬＣＤなどの表示装置１９と、該表示装置１９の照明装置２０とを備えている。照明装置２０を駆動する照明装置駆動回路２１がＣＰＵ７に接続されている。ＣＰＵ７には、メディアコントローラ２２が接続されており、メディアコントローラ２２は着脱可能な記録媒体として機能するメモリカード２３に情報の記録や読み出しを実行する。
【００１７】
ＣＰＵ７には、ＲＯＭ（Read Only Memory）２４、ＲＡＭ（Random Access Memory）２５、外部装置との接続を行うインターフェース部（Ｉ／Ｆ）２６、操作部２７がそれぞれ接続されている。図１に示すように、操作部２７には、撮像時にユーザが操作するシャッタ、電源のＯＮ／ＯＦＦを指示する「ＰＯＷＥＲ」操作ボタン、光学ズームを操作する「ＺＯＯＭ」操作ボタン、撮像装置の各種設定を行う「ＭＥＮＵ」操作ボタン、各操作時にユーザが手指で触れて操作する十字ボタン、撮像した静止画及び動画を再生する再生操作ボタン、などが設けられていてもよい。
【００１８】
また、ＣＰＵ７には、撮像装置１００の内部の各回路に電力を供給する電源回路２８が接続されている。また、電源回路２８に電力を供給するバッテリ２９が接続されている。
【００１９】
本実施形態のデジタルカメラ１００は、撮像した画像のＪＰＥＧデータを取得し、表示装置１９に表示する表示用画像の色調整を行う表示画像色調整部３０を備えている。
【００２０】
図２は、本実施形態において色調整を行う制御系を示すブロック図である。図３は、色情報の一例としてＲＧＢヒストグラムを示す図である。
表示用画像情報取得部３１は、表示装置１９に表示する表示用画像を取得する表示用画像情報取得手段として機能する。表示用画像は、例えば、ＪＰＥＧ形式の画像データを用いることができ、色情報を含むものである。ここで、本実施形態の色情報は、図３に示すようにＲ（赤），Ｇ（緑），Ｂ（青）ごとの階調値を示すヒストグラムを含むものである。各Ｒ（赤），Ｇ（緑），Ｂ（青）の階調値は、例えば、０〜２５６までの値で設定することができ、その値が大きいほど色が強調され、値が小さいほど色が弱いものとする。
【００２１】
色情報参照部３２は、表示用画像情報取得部３１から表示用画像を読み出す。また、色情報参照部３２には、参照用色情報記憶部３３が接続されている。参照用色情報記憶部３３は、参照用色情報が予め記憶された参照用色情報記憶手段として機能する。本実施形態のデジタルカメラにおいては、ＲＯＭ２４やＲＡＭ２５を参照用色情報記憶手段として用いてもよく、または、図示しない別の記憶手段を参照用色情報記憶手段として用いてもよい。参照用色情報記憶部３３には、後述する撮影シーンごとに対応する参照用色情報が予め記憶されている。参照用色情報は、色情報と同様であり、例えばＲ（赤），Ｇ（緑），Ｂ（青）ごとの階調値を示すヒストグラムを含むものとする。
【００２２】
色情報参照部３２は、表示用画像の色情報と参照用色情報とを比較し、その比較の結果を撮影シーン判別部３４に出力する。撮影シーン判別部３４は、表示用画像の色情報に最も近い参照用色情報を特定し、特定された参照用色情報に対応する撮影シーンを、表示用画像の撮影シーンとして判別する。
【００２３】
次に、色補正情報作成部３５は、表示用画像の色情報と、該表示用画像の撮影シーンに対応する参照用色情報とに基づいて、色補正情報を作成する。色補正情報は、表示用画像の色情報のうち各色信号をどの程度強調、又は、弱める等の補正量を示す値を含むものである。本実施形態では、色情報のＲＧＢの階調値を示すヒストグラムに基づいて、その補正量を決定する。図３に示すように、撮影シーンごとにＲＧＢの適正表示域が設定されており、ＲＧＢの各色信号を表示用画像に対応する撮影シーンの適正表示域になるように強調又は弱めるように補正量を決定する。図３の例では、Ｒ信号及びＧ信号の階調値を下げる補正量を設定する。また、Ｂ信号の階調値は補正しないか、又は、適正表示域の範囲内でＲ信号及びＧ信号との調和がとれるように補正する。各撮影シーンに対応する適正表示域は、表示装置１９の表示能力などに応じて適宜設定することができる。
【００２４】
色補正情報作成部３５で色補正情報を設定された色情報が表示装置ドライバ１８に出力され、表示装置ドライバ１８が、調整された色情報に従い、表示用画像のＲＧＢの各色信号を制御することで表示装置１９に表示用画像を表示させる。
【００２５】
次に、撮影シーンごとに色情報を調整する例を図面に基づいて説明する。
図４は、夕焼けシーンに対応する表示用画像の色情報を調整する例を説明する図である。夕焼けシーンでは、被写体からの光照度が高くなり、表示用画像の色味が全体的に白く飛んでしまって視認性が著しく低くなることが考えられる。一般的に、夕焼けシーンの撮影では使用者が全体的に赤色を基調とした画像を目的とすることが多いため、本実施形態では、Ｒ信号を強調し、Ｇ信号及びＢ信号を弱くするように色補正情報を作成し、該色補正情報に基づいて色情報を調整する。こうすることで、表示用画像の色情報においては赤色が強調されるとともに、緑色及び青色が弱くなるため、視認性が向上する。なお、Ｇ信号及びＢ信号は変更せずに補正量なしとしてもよい。
【００２６】
図５は、水中シーンに対応する表示用画像の色情報を調整する例を説明する図である。水中シーンでは、被写体からの光照度が低くなり、表示用画像の色味が全体的に暗くなって視認性が著しく低くなることが考えられる。一般的に、水中シーンの撮影では、使用者が全体的に明るい青色を基調とした画像を目的とすることが多いため、本実施形態では、Ｂ信号を強調し、Ｇ信号及びＲ信号を弱くするように色補正情報を作成し、該色補正情報に基づいて色情報を調整する。こうすることで、表示用画像の色情報においては青色が強調されるとともに、赤色及び緑色が弱くなるため、視認性が向上する。なお、Ｇ信号及びＢ信号は変更せずに補正量なしとしてもよい。
【００２７】
図６は、森林シーンに対応する表示用画像の色情報を調整する例を説明する図である。森林シーンでは、被写体からの光照度が低くなり、表示用画像の色味が全体的に暗くなって視認性が著しく低くなることが考えられる。一般的に、森林シーンの撮影では、使用者が全体的に明るい緑色を基調とした画像を目的とすることが多いため、本実施形態では、Ｇ信号を強調し、Ｒ信号及びＢ信号を弱くするように色補正情報を作成し、該色補正情報に基づいて色情報を調整する。こうすることで、表示用画像の色情報においては緑色が強調されるとともに、赤色及び青色が弱くなるため、視認性が向上する。なお、Ｒ信号及びＢ信号は変更せずに補正量なしとしてもよい。
【００２８】
このように、撮影シーンごとに、使用者が期待するであろう画像の色情報を予め参照用色情報として設定し、撮影シーンごとに対応する参照用色情報のＲＧＢヒストグラムを参照用色情報記憶手段に記憶させておくことで、表示用画像の色情報を調整する際に、適宜参照したうえで表示用画像の撮影シーンを判別することができる。このため、撮影シーンに応じて表示用画像の色情報を適正に調整することができ、表示装置１９に表示された画像の視認性を高くすることができる。
【００２９】
なお、上記構成では、撮影シーンごとに対応する参照用色情報を予め用意し、色調整する際に参照用色情報を参照して色調整を行うものとしたが、後述するように撮影モードごとに予め設定された色情報で表示用画像を作成してもよい。また、撮影シーンに基づいて色情報を調整した後、必要に応じて更に、撮影モードに基づいて色情報を調整してもよい。または、撮影モードに基づいて表示用画像を生成した後、必要に応じて更に、撮影シーンに基づいて色情報を調整してもよい。
【００３０】
本発明に係る画像表示装置及び撮像装置によれば、表示装置１９に表示する表示用画像を取得し、該表示用画像の色情報を撮影シーンに基づいて調整するための色補正情報を作成する。色補正情報は、表示用画像の色情報を調整するための補正値を含み、撮影シーンごとに予め設定された値と表示用画像の色情報とを比較することで算出することができる。表示用画像の色情報を色補正情報に基づいて調整することで、撮影シーンに適した、視認性の高い画像を表示することができる。
【００３１】
図７は、色情報の調整の他の例を説明する図である。
図７に示すように、撮影シーンごとに設定された参照用色情報は、外部のデータベースに予め記憶されていてもよい。
本発明にかかる画像表示装置は、データベースには、予め、撮影シーンごとにＲＧＢヒストグラムなどの参照用色情報が記録されており、表示用画像の色情報を調整する際に、データベースから画像表示装置へ参照用色情報が読み出されるようにしてもよい。画像表示装置は、ＪＰＥＧデータなどの形式で取得した表示用画像の色情報とデータベースから読み出した参照用色情報とを参照し、表示用画像の撮影シーンを判別した後、色補正情報を作成する。そして、色補正情報に基づいて表示用画像のＲＧＢバランスなどの色情報を調整し、その後、表示用画像を表示装置に表示する。
【００３２】
次に、本発明にかかる画像表示方法の手順を図面に基づいて説明する。なお、以下の説明では、すでに説明した上記デジタルカメラの構成を例に説明するものとし、部材などと同等な構成・作用を有する部材等については、図中に同一符号又は相当符号を付すことにより、説明を簡略化或いは省略する。
【００３３】
図８は、画像表示方法の第１実施形態の手順を示すフローチャートを示す図である。
最初に、ＣＣＤ３で被写体を撮像し、画像情報を表示用画像としてＪＰＥＧ形式情報に変換処理し、変換されたＪＰＥＧ画像を表示用画像として表示用画像情報取得部３１に読み出す。また、表示用画像情報取得部３１は、読み出した表示用画像のＲＧＢヒストグラムデータ（色情報）を検出し、色情報参照部３２に出力する。
【００３４】
色情報参照部３２は、データベースから参照用ＲＧＢヒストグラムデータ（参照用色情報）を読み出し、この参照用ＲＧＢヒストグラムデータと表示用画像のＲＧＢヒストグラムデータとを比較し、表示用画像の撮影シーンを判別する。そして、判別された撮影シーンに対応する参照用ＲＧＢヒストグラムデータと、表示用画像のＲＧＢヒストグラムデータとに基づいて色補正情報を作成し、該色補正情報に基づいてＲＧＢバランスを変更する。ＲＧＢバランスを変更した後、表示用画像を表示装置１９に表示する。
【００３５】
このように、本実施形態では、表示用画像の色情報と参照用色情報とに基づいて撮影シーンを判別し、判別された撮影シーンに基づいて表示用画像の色情報を調整して表示する。こうすれば、撮影シーンに適し、かつ、視認性の高い画像を表示することができる。
【００３６】
図９は、画像表示方法の第２実施形態の手順を示すフローチャートを示す図である。本実施形態は、表示用画像情報を取得し、参照用ＲＧＢヒストグラムデータを参照して表示用画像の撮影シーンを判別し、判別された撮影シーンに基づいて表示用画像のＲＧＢバランスを調整する手順については、図８に示す手順と同じである。本実施形態では、撮影シーンに基づいて調整された表示用画像について、適正に表示可能かを判定した後、必要に応じて更に撮影モードに基づいてＲＧＢバランスを変更する点で上記第１実施形態とは相違する。以下、本実施形態では、上記第１実施形態と相違する手順のみ説明する。
【００３７】
図９に示すように、判別された撮影シーンに基づいて表示用画像のＲＧＢバランスを変更した後、該表示用画像が表示装置１９で適正に表示可能であるか判定する。ここで、適正に表示可能であるかの判定基準は、表示装置１９の表示性能又は撮像装置におけるＣＣＤの解像度などに応じて所望の基準を設定することができる。
【００３８】
このとき、表示用画像が適正に表示可能であると判定した場合には、撮影モードを確認することなく、表示用画像を表示装置１９で表示する。一方で、表示用画像が適正に表示可能でないと判定した場合には、次に設定された撮影モードを確認するステップに移る。
【００３９】
ここで、撮影モードは、予め撮像装置によって撮像する際に設定されているモードを意味し、又は、画像表示装置のおいては、表示用画像を他の撮像装置で撮像した際に設定され、取得した表示用画像情報に含まれている情報を意味する。撮影モードとしては、例えば、撮影シーンに対応するモードや、一定のＲＧＢバランスが設定された通常の撮影モードや、他に、室内撮影モードや野外撮影モードがある。撮影シーンに対応するモードとしては、例えば、夕焼けシーンに対応するモードであれば予め表示用画像のＲ信号を強調するようにＲＧＢバランスを調整するモードである。このように撮影モードは、その撮影環境に応じた所定のＲＧＢバランスが予め設定されている。
【００４０】
本実施形態では、表示用画像が適正に表示可能でないと判定した場合に、この撮影モードを確認し、その撮影モードのＲＧＢバランスに基いて色補正情報を作成し、表示用画像のＲＧＢバランスを変更して表示する。こうすれば撮影シーンに応じて適正に表示できない場合には、撮影モードに基づいて表示用画像のＲＧＢバランスを変更し、撮影モードに適するように視認性の高い画像を表示させることができる。
【００４１】
図１０は、画像表示方法の第３実施形態の手順を示すフローチャートを示す図である。上記第２実施形態が、先に撮影シーンに基づいて表示用画像のＲＧＢバランスを変更し、その後、撮影モードに基づいて表示用画像のＲＧＢバランスを変更する手順であるのに対し、本実施形態では、先に撮影モードに基づいて表示用画像のＲＧＢバランスを変更し、該表示用画像が適正に表示出来ないと判定した場合に、撮影シーンに基づいて表示用画像のＲＧＢバランスを変更する手順である。
【００４２】
具体的には、最初に、表示用画像情報を取得し、その表示用画像情報の撮影モードを確認する。そして、確認された撮影モードに設定されているＲＧＢバランスに表示用画像情報を変更する。
【００４３】
次に、表示用画像を適正に表示可能であるかを判定し、適正に表示可能であると判定した場合には、表示装置１９で表示用画像を表示する。一方で、適正に表示可能でないと判定した場合には、撮影シーンに基づいてＲＧＢバランスを変更する手順に移る。
【００４４】
撮影シーンに基づいてＲＧＢバランスを変更する場合には、上記第１実施形態と同様に、表示用画像のＲＧＢヒストグラムデータと、データベースから読み出した参照用ＲＧＢヒストグラムデータとを参照し、表示用画像の撮影シーンを判別する。そして、判別された撮影シーンに対応する参照用ＲＧＢヒストグラムデータと、表示用画像のＲＧＢヒストグラムデータとに基づいて色補正情報を作成し、該色補正情報に基づいてＲＧＢバランスを変更する。ＲＧＢバランスを変更した後、表示用画像を表示装置１９に表示する。
【００４５】
本実施形態によれば、設定された撮影モードに基づいて表示用画像のＲＧＢバランスを変更し、必要に応じて撮影シーンを判定し、該撮影シーンに基づいてＲＧＢバランスを変更すればよいため、データベースから参照用色情報を読み出す処理を適宜省略することができる。また、撮影モード及び撮影シーンに基いて表示用画像のＲＧＢバランスを変更することで、視認性の高い画像をより一層適正に表示することができる。
【００４６】
図１１は、画像表示方法の第４実施形態の手順を示すフローチャートを示す図である。上記第２実施形態及び第３実施形態では、撮影シーン及び撮影モードに基づいて表示用画像のＲＧＢバランスを変更することができる手順であるのに対して、本実施形態では、撮影モードのみに基いて表示用画像のＲＧＢバランスを変更する。
【００４７】
具体的には、図１１に示すように、最初に、表示用画像情報を取得し、その表示用画像情報の撮影モードを確認する。そして、確認された撮影モードに設定されているＲＧＢバランスに表示用画像情報を変更する。その後、本実施形態では、表示用画像が適正に表示できるか否かの判別を実行することなく、表示装置１９において撮影モードに基いて色調整された表示用画像を表示する。
【００４８】
このように本発明においては、撮影シーン及び撮影モードの少なくとも一方に基いて表示用画像の色情報を調整することで、視認性の高い画像を表示させることができる。
【００４９】
図１２は、画像表示方法の第５実施形態の手順を示すフローチャートを示す図である。実施形態は、表示用画像情報を取得し、参照用ＲＧＢヒストグラムデータを参照して表示用画像の撮影シーンを判別し、判別された撮影シーンに基づいて表示用画像のＲＧＢバランスを調整する手順については、上記第１実施形態に示す手順と同じである。本実施形態では、撮影シーンに基づいて調整された表示用画像について、所定の被写体（本実施形態では人物の顔を例に説明した。）の領域を判定した後、必要に応じて顔領域のＲＧＢバランスを変更する点で上記実施形態とは相違する。以下、本実施形態では、上記第１実施形態と相違する手順のみ説明する。
【００５０】
図１２に示すように、判別された撮影シーンに基づいて表示用画像のＲＧＢバランスを変更した後、表示用画像における顔領域を判定する。顔領域の判定は、従来の顔認識技術を適用することができる。顔領域を判定した後、該顔領域のＲＧＢバランスを検出する。そして、検出された顔領域のＲＧＢバランスのみ適正な値となるように、ＲＧＢバランスを再び変更する。顔領域以外の領域のＲＧＢバランスは先の撮影シーンに基いて変更されたＲＧＢバランスを保持する。
【００５１】
こうすることで、人物像を含む表示用画像のＲＧＢバランスを調整する場合に、人物の顔が周囲の領域と同じようにＲＧＢバランスを変更されることに起因して不自然な色で表示されてしまうことを防止することができる。なお、本実施形態では一例として顔領域のＲＧＢバランスを再び変更したが、顔だけでなく、人物像全体やその他の特定の領域のみのＲＧＢバランスを再び変更するようにしてもよい。
【００５２】
なお、本実施形態において、撮影シーンに基いてＲＧＢバランスを変更する手順に前後して、上記実施形態と同様に設定された撮影モードに基いてＲＧＢバランスを変更する手順を実行することもできる。
【図面の簡単な説明】
【００５３】
【図１】本発明にかかる撮像装置の一例を示す構成図である。
【図２】色調整を行う制御系を示すブロック図である。
【図３】色情報の一例としてＲＧＢヒストグラムを示す図である。
【図４】夕焼けシーンに対応する表示用画像の色情報を調整する例を説明する図である。
【図５】水中シーンに対応する表示用画像の色情報を調整する例を説明する図である。
【図６】森林シーンに対応する表示用画像の色情報を調整する例を説明する図である。
【図７】色情報の調整の他の例を説明する図である。
【図８】画像表示方法の第１実施形態の手順を示すフローチャートを示す図である。
【図９】画像表示方法の第２実施形態の手順を示すフローチャートを示す図である。
【図１０】画像表示方法の第３実施形態の手順を示すフローチャートを示す図である。
【図１１】画像表示方法の第４実施形態の手順を示すフローチャートを示す図である。
【図１２】画像表示方法の第５実施形態の手順を示すフローチャートを示す図である。
【符号の説明】
【００５４】
１８  （表示装置の）ドライバ
１９    表示装置
３０    表示画像調整部
３１    表示用画像情報取得部
３２    色情報参照部
３３    参照用色情報記憶部
３４    撮影シーン判別部
３５    色補正情報作成部
【図１】
2009276610.tif 000003
【図２】
2009276610.tif 000004
【図３】
2009276610.tif 000005
【図４】
2009276610.tif 000006
【図５】
2009276610.tif 000007
【図６】
2009276610.tif 000008
【図７】
2009276610.tif 000009
【図８】
2009276610.tif 000010
【図９】
2009276610.tif 000011
【図１０】
2009276610.tif 000012
【図１１】
2009276610.tif 000013
【図１２】
2009276610.tif 000014